(57)【特許請求の範囲】
【請求項１】
監視空間に照射した光が監視空間内の煙により散乱された散乱光を受光して煙濃度に応じた感知信号を出力する煙感知部と、煙感知部から出力される感知信号に基づいた情報を外部に報知する制御部と、電力線を介して外部電源から供給される電力で動作し、煙感知部並びに制御部に動作用電源を供給する電源回路部とを備えた光電式煙感知器において、電源回路部は、煙感知部の動作用電源を作成する第１の電圧源と、制御部の動作用電源を作成する第２の電圧源と、制御部が外部に情報を報知する際に外部電源の電圧を第１の所定値まで低下させるレギュレータ回路と、制御部が外部に情報を報知する際に電力線に所定の電流を流す電流駆動回路と、制御部が外部に情報を報知する際に外部電源の電圧を第２の所定値まで低下させて保持するラッチ回路とが集積回路で構成されてなることを特徴とする光電式煙感知器。
【請求項２】
第１及び第２の電圧源の少なくとも何れか一方は、バンドギャップリファレンス回路と、バンドギャップリファレンス回路の出力で駆動されるトランジスタを有した出力回路とを具備し、出力回路のトランジスタの温度特性を打ち消す温度補償素子がバンドギャップリファレンス回路に設けられたことを特徴とする請求項１記載の光電式煙感知器。
【請求項３】
レギュレータ回路は、シャントレギュレータからなり、シャントレギュレータの基準電圧を設定する基準電圧設定手段を有することを特徴とする請求項１記載の光電式煙感知器。
【請求項４】
基準電圧設定手段が抵抗分圧回路からなり、シャントレギュレータの非動作時に抵抗分圧回路に流れる電流を阻止する電流阻止手段をレギュレータ回路に設けたことを特徴とする請求項３記載の光電式煙感知器。
【請求項５】
基準電圧設定手段が抵抗分圧回路からなり、第１及び第２の電圧源の内で作成する動作用電源電圧が低い方の電圧源の出力をシャントレギュレータに入力するとともに基準電圧設定部から取り出した電圧を動作用電源電圧が高い方の電圧源の出力端に印加することを特徴とする請求項３記載の光電式煙感知器。
【請求項６】
電流駆動回路を駆動する駆動信号を所定レベルにシフトするレベルシフト回路を設けたことを特徴とする請求項１記載の光電式煙感知器。
【請求項７】
電流駆動回路の誤動作を防止して各部を保護する保護回路を設けたことを特徴とする請求項１記載の光電式煙感知器。
【請求項８】
保護回路は、電流駆動回路を駆動する駆動信号のデューティが所定の限界値を超えたときに保護動作を行うことを特徴とする請求項７記載の光電式煙感知器。
【請求項９】
電流駆動回路の出力の立ち上がり及び立ち上がりの各遅延時間を調整する遅延調整回路を設けたことを特徴とする請求項１記載の光電式煙感知器。
【請求項１０】
ラッチ回路は、電力線とグランドの間に挿入されるサイリスタと、電力線からサイリスタに過大な電流が流れるのを阻止する過電流阻止手段とを具備することを特徴とする請求項１記載の光電式煙感知器。
【請求項１１】
過電流阻止手段は、過電流によって溶断するヒューズからなることを特徴とする請求項１０記載の光電式煙感知器。
【請求項１２】
ラッチ回路は、電力線とグランドの間に挿入されるサイリスタと、サイリスタのゲートを介した電流の流出を阻止する阻止手段とを具備することを特徴とする請求項１記載の光電式煙感知器。
【請求項１３】
ラッチ回路を動作可能な状態と動作不能な状態に切り換える切換手段を設けたことを特徴とする請求項１記載の光電式煙感知器。
【請求項１４】
切換手段は、ラッチ回路と電力線の間に挿入されるヒューズからなることを特徴とする請求項１３記載の光電式煙感知器。
【発明の詳細な説明】
【０００１】
【発明の属する技術分野】
本発明は、監視空間に照射された光が煙により散乱された散乱光を受光して煙濃度を感知し、感知した煙濃度に基づいた情報（例えば、火災発生情報）を外部に報知する光電式煙感知器に関するものである。
【０００２】
【従来の技術】
従来より、図２１に示すような光電式煙感知器が提供されている。すなわち、この感知器は、図示しない発光ダイオードを駆動して監視空間に光を照射させる発光回路３１と、発光回路３１により監視空間に照射した光が監視空間内の煙により散乱された散乱光を受光して煙濃度に応じた感知信号を出力する煙感知部３０と、煙感知部３０から出力される感知信号に基づいた情報を外部に報知する制御部４０と、電力線Ｌｐを介して外部電源から供給される電力で動作して煙感知部３０の動作用電源を作成する第１の電圧源１’と、同じく電力線Ｌｐを介して外部電源から供給される電力で動作して制御部４０の動作用電源を作成する第２の電圧源２’と、制御部４０が外部に情報を報知する際に外部電源の電圧を第１の所定値まで低下させるレギュレータ回路３’と、制御部４０が外部に情報を報知する際に電力線Ｌｐに所定の電流を流す電流駆動回路４’と、制御部４０が外部に情報を報知する際に外部電源の電圧を第２の所定値まで低下させて保持するラッチ回路５’とを備える。但し、レギュレータ回路３’と電流駆動回路４’とラッチ回路５’は、外部に情報を伝達するという共通の目的を有するものであるから、通常は何れか１つのみを備えている。
【０００３】
煙感知部３０は、発光回路３１により監視空間に照射した光が監視空間内の煙により散乱された散乱光を受光して電気信号に変換する光電変換回路、光電変換回路の出力信号をサンプルホールドするサンプルホールド回路、サンプルホールド回路の出力信号をアナログの感知信号に変換して出力する出力回路などが集積回路で構成されてなる。
【０００４】
制御部４０はマイクロコンピュータからなり、煙感知部３０の感知信号に基づいて火災の発生を検知し、電力線Ｌｐを介して供給される外部電源電圧をレギュレータ回路３’，電流駆動回路４’又はラッチ回路５’を制御して低下させることで電力線Ｌｐに接続された受信機や親機等に火災発生の情報を報知（発報）する。
【０００５】
図２２に第１及び第２の電圧源１’，２’の回路構成例を示す。ＮＰＮトランジスタＴｒ１のコレクタが電力線Ｌｐ側に接続され、トランジスタＴｒ１のベースがダイオードの直列回路とツェナーダイオードＺＤ１を介してグランドに接続されており、例えば、第１の電圧源２’ではツェナーダイオードＺＤ１のツェナー電圧を３．６Ｖ、外部電源電圧ＶＬを２４ＶとしてトランジスタＴｒ１のエミッタから５Ｖの定電圧出力Ｖ１が取り出される。
【０００６】
図２３にレギュレータ回路３’の回路構成例を示す。エミッタがグランドに接続されたＮＰＮトランジスタＴｒ２のコレクタにツェナーダイオードＺＤ２を介して外部電源電圧ＶＬが印加され、ベースと入力端Ｔin１の間には抵抗Ｒ１が接続されるとともにベースとグランドの間に抵抗Ｒ２が接続される。而して、制御部４０から入力端Ｔin１に制御信号を入力してトランジスタＴｒ２をオンすることにより、外部電源電圧ＶＬをツェナー電圧に略等しい定電圧まで低下させて受信機や親機に発報する。
【０００７】
図２４に電流駆動回路４’の回路構成例を示す。ダーリントン接続されたＮＰＮトランジスタＴｒ３，Ｔｒ４と抵抗Ｒ３の直列回路に外部電源電圧ＶＬが印加され、抵抗Ｒ４及びコンデンサＣ１からなる遅延回路がトランジスタＴｒ４のベースと入力端Ｔin２の間に接続される。而して、制御部４０から入力端Ｔin２に制御信号を入力し、Ｈレベルの制御信号が入力されているときにトランジスタＴｒ３，Ｔｒ４を駆動することで電力線Ｌｐを介して外部電源から比較的大きな電流（例えば数百ｍＡ）を流して受信機や親機に発報する。
【０００８】
図２５にラッチ回路５’の回路構成例を示す。アノードに外部電源電圧ＶＬが印加されたサイリスタＳＣＲのカソードがグランドに接続され、そのゲートが抵抗Ｒ５を介して入力端Ｔin３に接続される。而して、制御部４０から入力端Ｔin３にトリガ信号を入力してサイリスタＳＣＲをターンオンする（ラッチする）ことにより、電力線Ｌｐを介して外部電源から比較的大きな定電流（例えば数十ｍＡ）を流して受信機や親機に発報する。
【０００９】
【発明が解決しようとする課題】
ところで上記従来例においては、煙感知部３０及び制御部４０を除く電源回路部、すなわち第１の電源部１’と第２の電源部２’とレギュレータ回路３’（又は電流駆動回路４’やラッチ回路５’）が全てディスクリート部品で構成されているため、寸法が大きくなって感知器自体の小型化の妨げとなっていた。
【００１０】
また、光電式煙感知器には複数の品種が存在し、各品種毎に電力線Ｌｐを介して外部の受信機や親機に情報を伝達する手段としてレギュレータ回路３’、電流駆動回路４’あるいはラッチ回路５’の何れを用いるかが異なっている。このため、複数の品種に共通して使用できる電源回路部を構成しようとして上記３つの手段（レギュレータ回路３’、電流駆動回路４’、ラッチ回路５’）を全て具備すると部品点数の増加によってますます小型化が困難になってしまう。
【００１１】
本発明は上記事情に鑑みて為されたものであり、その目的とするところは、複数の品種で電源回路部が共通に使用できるとともに小型化が可能な光電式煙感知器を提供することにある。
【００１２】
【課題を解決するための手段】
請求項１の発明は、上記目的を達成するために、監視空間に照射した光が監視空間内の煙により散乱された散乱光を受光して煙濃度に応じた感知信号を出力する煙感知部と、煙感知部から出力される感知信号に基づいた情報を外部に報知する制御部と、電力線を介して外部電源から供給される電力で動作し、煙感知部並びに制御部に動作用電源を供給する電源回路部とを備えた光電式煙感知器において、電源回路部は、煙感知部の動作用電源を作成する第１の電圧源と、制御部の動作用電源を作成する第２の電圧源と、制御部が外部に情報を報知する際に外部電源の電圧を第１の所定値まで低下させるレギュレータ回路と、制御部が外部に情報を報知する際に電力線に所定の電流を流す電流駆動回路と、制御部が外部に情報を報知する際に外部電源の電圧を第２の所定値まで低下させて保持するラッチ回路とが集積回路で構成されてなることを特徴とし、レギュレータ回路と電流駆動回路とラッチ回路を電源回路部に具備することで複数の品種で電源回路部が共通に使用できるとともに、電源回路部を集積回路で構成することによってディスクリート部品で構成する場合に比較して小型化が可能となる。
【００１３】
請求項２の発明は、請求項１の発明において、第１及び第２の電圧源の少なくとも何れか一方は、バンドギャップリファレンス回路と、バンドギャップリファレンス回路の出力で駆動されるトランジスタを有した出力回路とを具備し、出力回路のトランジスタの温度特性を打ち消す温度補償素子がバンドギャップリファレンス回路に設けられたことを特徴とし、バンドギャップリファレンス回路が動作して比較的大きな電流が出力回路に流れる場合でもバンドギャップリファレンス回路には出力回路のトランジスタの電流増幅率の逆数分しか影響が及ばず、しかも、温度補償素子を設けているため、第１及び第２の電圧源からは温度特性が良好且つ安定した電圧供給が行える。
【００１４】
請求項３の発明は、請求項１の発明において、レギュレータ回路は、シャントレギュレータからなり、シャントレギュレータの基準電圧を設定する基準電圧設定手段を有することを特徴とし、基準電圧設定手段による基準電圧の設定により、レギュレータ回路の出力電圧の設定の自由度が向上する。
【００１５】
請求項４の発明は、請求項３の発明において、基準電圧設定手段が抵抗分圧回路からなり、シャントレギュレータの非動作時に抵抗分圧回路に流れる電流を阻止する電流阻止手段をレギュレータ回路に設けたことを特徴とし、レギュレータ回路の非動作時の電流消費を防いで電源回路部全体の消費電力を低減することができるとともに、非動作時におけるレギュレータ回路の誤動作防止が図れる。
【００１６】
請求項５の発明は、請求項３の発明において、基準電圧設定手段が抵抗分圧回路からなり、第１及び第２の電圧源の内で作成する動作用電源電圧が低い方の電圧源の出力をシャントレギュレータに入力するとともに基準電圧設定部から取り出した電圧を動作用電源電圧が高い方の電圧源の出力端に印加することを特徴とし、レギュレータ回路の動作時に外部電源電圧が高い方の動作用電源電圧付近まで低下した場合でも基準電圧設定部から取り出した電圧で高い方の動作用電源電圧を補うことができる。
【００１７】
請求項６の発明は、請求項１の発明において、電流駆動回路を駆動する駆動信号を所定レベルにシフトするレベルシフト回路を設けたことを特徴とし、駆動信号のレベルがレベルシフト回路によって常に所定レベルにシフトされ、駆動信号のレベルが異なる品種にも対応することができる。
【００１８】
請求項７の発明は、請求項１の発明において、電流駆動回路の誤動作を防止して各部を保護する保護回路を設けたことを特徴とし、電流駆動回路の誤動作を防止して電源回路部の熱破壊を防ぐことができる。
【００１９】
請求項８の発明は、請求項７の発明において、保護回路は、電流駆動回路を駆動する駆動信号のデューティが所定の限界値を超えたときに保護動作を行うことを特徴とし、動作中にノイズが入り込んでも保護回路の動作が解除されるのを防ぐことができる。
【００２０】
請求項９の発明は、請求項１の発明において、電流駆動回路の出力の立ち上がり及び立ち上がりの各遅延時間を調整する遅延調整回路を設けたことを特徴とし、遅延調整回路で各遅延時間を調整することにより電流駆動回路から波形の精度が高い出力を得ることができる。
【００２１】
請求項１０の発明は、請求項１の発明において、ラッチ回路は、電力線とグランドの間に挿入されるサイリスタと、電力線からサイリスタに過大な電流が流れるのを阻止する過電流阻止手段とを具備することを特徴とし、電力線にインピーダンスの低い機器が接続される場合においても電源回路部に過大な電流が流れることが無く、過大な電流による電源回路部の熱破壊を防止することができる。
【００２２】
請求項１１の発明は、請求項１０の発明において、過電流阻止手段は、過電流によって溶断するヒューズからなることを特徴とし、非常に小さな回路規模で過電流阻止手段が構成でき、電源回路部の小型化及びコストダウンが図れる。
【００２３】
請求項１２の発明は、請求項１の発明において、ラッチ回路は、電力線とグランドの間に挿入されるサイリスタと、サイリスタのゲートを介した電流の流出を阻止する阻止手段とを具備することを特徴とし、ゲートを介した電流の流出を阻止することで保持電流の減少を抑制し、一旦ターンオンしたサイリスタがターンオフしてラッチ回路の動作が不用意に解除されることが防止できる。
【００２４】
請求項１３の発明は、請求項１の発明において、ラッチ回路を動作可能な状態と動作不能な状態に切り換える切換手段を設けたことを特徴とし、ラッチ回路が不要な場合には切換手段でラッチ回路を動作不能状態としてラッチ回路の誤動作による不具合の発生を防ぐことができる。
【００２５】
請求項１４の発明は、請求項１３の発明において、切換手段は、ラッチ回路と電力線の間に挿入されるヒューズからなることを特徴とし、ラッチ回路が不要な場合にはヒューズを溶断するだけでラッチ回路を動作不能状態に切り換えることができ、切換手段が非常に簡単な構成で実現できて電源回路部の小型化及びコストダウンが図れる。
【００２６】
【発明の実施の形態】
以下、図１〜図２０を参照して本発明の一実施形態を詳細に説明する。図１は本実施形態の光電式煙感知器を示すブロック図であるが、基本的な構成は図２１に示した従来例と共通であり、共通する構成要素には同一の符号を付して説明を省略する。
【００２７】
本実施形態は、煙感知部３０の動作用電源（電源電圧Ｖ１）を作成する第１の電圧源１と、制御部４０の動作用電源（電源電圧Ｖ２）を作成する第２の電圧源２と、制御部４０が外部に情報を報知する際に外部電源電圧ＶＬを第１の所定値まで低下させるレギュレータ回路３と、制御部４０が外部に情報を報知する際に電力線Ｌｐに所定の電流を流す電流駆動回路４と、制御部４０が外部に情報を報知する際に外部電源電圧ＶＬを第２の所定値まで低下させて保持するラッチ回路５とを具備する電源回路部２０が１チップの集積回路で構成された点に特徴がある。なお、本実施形態では煙感知部３０により制御されて監視空間に光を照射する発光回路３１も電源回路部２０に含んでいる。
【００２８】
而して、本実施形態では、電力線Ｌｐを介して外部機器（受信機や親機など）に火災発生の情報を報知（発報）するものとしてレギュレータ回路３、電流駆動回路４並びにラッチ回路５の３種類の回路を具備することで複数の品種で電源回路部２０が共通に使用できるとともに、電源回路部２０を集積回路で構成することによって従来例のようにディスクリート部品で構成する場合に比較して小型化が可能となるという利点を有する。
【００２９】
図２は第１及び第２の電圧源１，２の具体構成を示しており、従来周知のバンドギャップリファレンス回路ＢＧＲと、バンドギャップリファレンス回路ＢＧＲの出力で駆動されるトランジスタＱ１からなる出力回路１ａ，２ａとを備えている。ここで、バンドギャップリファレンス回路ＢＧＲを集積回路として構成する場合、温度変化による抵抗値やトランジスタの直流電流増幅率ｈFEのばらつきが原因で出力電圧Ｖ１，Ｖ２に大きなばらつきが生じてしまう。また、バンドギャップリファレンス回路ＢＧＲが低電流で駆動されているため、バンドギャップリファレンス回路ＢＧＲが動作して出力回路１ａ，２ａを介して比較的大きな電流が引かれるとバンドギャップリファレンス回路ＢＧＲの内部でバランスが崩れてしまい、その結果、出力電圧Ｖ１，Ｖ２が変動する虞がある。
【００３０】
そのために本実施形態では、バンドギャップリファレンス回路ＢＧＲの出力で駆動されるトランジスタＱ１からなる出力回路１ａ，２ａを設けており、出力回路１ａ，２ａを介して比較的大きな電流が引かれた場合でもバンドギャップリファレンス回路ＢＧＲには出力回路１ａ，２ａのトランジスタＱ１の直流電流増幅率ｈFEの逆数分しか影響が及ばず、電流駆動回路４やラッチ回路５が動作した場合の出力電圧Ｖ１，Ｖ２の変動を抑えることができる。さらに、出力回路１ａ，２ａのトランジスタＱ１の温度特性を打ち消す温度補償素子たるダイオードＤａがバンドギャップリファレンス回路ＢＧＲに設けてあるので、第１及び第２の電圧源１，２からは温度特性が良好且つ安定した電圧供給が行える。図３は第１の電圧源１を示しており、出力回路１ａとしてダーリントン接続されたトランジスタＱ１，Ｑ２を用い、各トランジスタＱ１、Ｑ２の温度補償用のダイオードＤａ，Ｄｂの直列回路をバンドギャップリファレンス回路ＢＧＲに設けてなり、外部電源電圧ＶＬ（＝２４Ｖ）から煙感知部３０の動作用電源（電源電圧Ｖ１＝５Ｖ）を作成している。
【００３１】
図４はレギュレータ回路３の具体構成を示しており、アンプＡ１、並びにダーリントン接続された出力用のトランジスタＴｒ５，Ｔｒ６を有するシャントレギュレータと、シャントレギュレータに第２の基準電圧を入力する基準電圧設定部３ａと、制御部４０によって制御されて基準電圧設定部３ａへの外部電源電圧ＶＬの印加をオン／オフするスイッチＳＷ１とを具備する。シャントレギュレータは従来周知のものであって、＋端子に印加される第２の基準電圧Ｖrefが−端子に印加される第１の基準電圧Ｖｆと等しくなるようにアンプＡ１を誤差増幅動作させるものである。基準電圧設定部３ａは外部電源電圧ＶＬを分圧する分圧抵抗Ｒａ，Ｒｂからなり、制御部４０によってスイッチＳＷ１がオンされた場合に外部電源電圧ＶＬを分圧して得られる第２の基準電圧ＶrefをアンプＡ１の＋端子に印加する。例えば、図５に示すように基準電圧設定部３ａの分圧抵抗Ｒａ，Ｒｂの抵抗値をそれぞれ１００ｋΩとし、第１の基準電圧Ｖｆを第２の電圧源２の出力電圧Ｖ２（＝３Ｖ）から取る場合、第２の基準電圧Ｖrefが第１の基準電圧Ｖ２と等しい値（＝３Ｖ）になるようにシャントレギュレータが動作するのであるから、外部電源電圧ＶＬがＶＬ＝（Ｒａ＋Ｒｂ）／Ｒｂ×Ｖｆ＝６Ｖまで低下する。そして、このようにレギュレータ回路３によって外部電源電圧ＶＬを２４Ｖから６Ｖまで低下させることで電力線Ｌｐを介して外部機器に発報されるのである。
【００３２】
而して、図２３に示した従来のレギュレータ回路３’においては、その出力電圧がツェナーダイオードＺＤ２によって決定されており、ツェナーダイオードＺＤ２がディスクリート部品であるために任意のツェナー電圧を設定することができず、レギュレータ回路３’の出力電圧の設定の自由度が低いものであったが、本実施形態のレギュレータ回路３では、第２の基準電圧Ｖrefを設定する基準電圧設定部３ａを設けているため、上述のように基準電圧設定部３ａの分圧抵抗Ｒａ，Ｒｂの抵抗値を適当に設定することでレギュレータ回路３の出力電圧の設定の自由度が向上できるものである。
【００３３】
ところで、図５に示すようにアンプＡ１は外部電源電圧ＶＬが印加される差動増幅部３ｃを有しており、この差動増幅部３ｃの一方の入力が−端子に接続されているため、スイッチＳＷ１がオフしていてレギュレータ回路３の動作が停止している状態（待機状態）において第１の基準電圧Ｖｆを供給する第２の電圧源２から差動増幅部３ｃ並びに基準電圧設定部３ａを通してグランドに漏れ電流Ｉｘが流れて電流消費が発生してしまう。
【００３４】
そこで、図６に示すように上記待機状態における漏れ電流Ｉｘを阻止する電流阻止部３ｂをレギュレータ回路３に設けることが望ましい。電流阻止部３ｂは、例えば基準電圧設定部３ａにアノードが接続されるとともにスイッチＳＷ１にカソードが接続されたダイオードＤ１と、ダイオードＤ１と並列に接続され、制御部４０によってスイッチＳＷ１と同期してオン／オフされるスイッチＳＷ２とを有する。すなわち、レギュレータ回路３の待機状態ではスイッチＳＷ２がオフしているため、上述の漏れ電流Ｉｘの経路中に挿入されたダイオードＤ１によって漏れ電流Ｉｘを阻止することができる。その結果、レギュレータ回路３の非動作時（待機時）での電流消費を防いで電源回路部２０全体の消費電力を低減することができるとともにレギュレータ回路３の誤動作防止が図れる。一方、レギュレータ回路３の動作時にはスイッチＳＷ１とともにＳＷ２がオンとなり、ダイオードＤ１のアノード−カソード間が短絡されて通常通りの動作が可能である。
【００３５】
ところで、上述のようにレギュレータ回路３の動作時に外部電源電圧ＶＬが第１の電圧源１の出力電圧Ｖ１（＝５Ｖ）付近の電圧（例えば、ＶＬ＝６Ｖ）まで低下した場合、第１の電圧源１の回路バランスが崩れて出力電圧Ｖ１が変動してしまったり、煙感知部３０に動作用電源を供給できなくなる虞がある。そこで本実施形態では、図７に示すようにレギュレータ回路３の基準電圧設定部３ａから取り出した電圧Ｖ１’を第１の電圧源１の出力端に印加することで上記不具合の発生を防止している。具体的には、図８に示すように基準電圧設定部３ａを３つの分圧抵抗Ｒａ，Ｒｂ，Ｒｃで構成し、分圧抵抗Ｒａ，Ｒｂの接続点から第２の基準電圧Ｖrefを取り出すとともに、分圧抵抗Ｒａ，Ｒｃの接続点を第２の電圧源２の出力端に接続している。例えば、第１及び第２の電圧源１、２の出力電圧Ｖ１，Ｖ２が各々５Ｖ，３Ｖとした場合、分圧抵抗Ｒａ，Ｒｂ，Ｒｃの抵抗値を各々２００ｋΩ，３００ｋΩ，１００ｋΩとすれば、第２の基準電圧Ｖref＝３Ｖとなり、分圧抵抗Ｒａ，Ｒｃの接続点からＶ１’＝５Ｖの電圧を取り出して第１の電圧源１の出力端に印加することができる。故に、レギュレータ回路３の動作時に外部電源電圧ＶＬが第１の電圧源１の出力電圧Ｖ１付近まで低下した場合でも基準電圧設定部３ａから取り出した電圧Ｖ１’で第１の電圧源１の出力電圧Ｖ１を補うことができる。
【００３６】
また、図２４に示した従来の電流駆動回路４’においては、入力端Ｔin２に入力される制御信号のレベルが所定値（例えば、５Ｖ）に決められており、その所定値の制御信号が入力されたときに正常に動作するように各回路素子の定数が設定されていた。
【００３７】
しかしながら、複数の品種の中には電流駆動回路４に入力する制御信号のレベルが上記所定値と異なる値（例えば３Ｖ）の制御信号が入力される場合もある。そこで本実施形態では、図９に示すように電流駆動回路４に制御信号の電圧レベルを上記所定値にレベルシフトするレベルシフト回路４ａを設けている。すなわち、レベルシフト回路４ａには第１の電圧源１から電圧Ｖ１（＝５Ｖ）が供給されており、レベルシフト回路４ａの入力端（トランジスタＴｒ７のベース）に制御部４０から制御信号（電圧レベル＝３Ｖ）が入力されるとレベルシフト回路４ａの２つのトランジスタＴｒ７，Ｔｒ８がオンとなり、トランジスタＴｒ８のコレクタに接続された出力抵抗Ｒoutの両端に第１の電圧源１の出力電圧Ｖ１に等しい電圧が制御信号として出力される。故に、上述のように複数の品種で制御信号レベルが異なる場合においても制御信号のレベルがレベルシフト回路４ａによって常に所定レベルにシフトされるから、制御信号のレベルが異なる品種にも対応することができる。
【００３８】
ところで、制御部４０の誤動作により電流駆動回路４の入力端Ｔin２にＨレベルの制御信号が入力され続けた場合や、あるいは正常時に所定の周期でＨレベルとＬレベルが切り換わるパルス状の制御信号が制御部４０の誤動作によりＨレベルのオン幅（あるいはオンデューティ比）が大きくなった場合、電流駆動回路４が誤動作して過大な電流が長時間に渡って流れてしまい、電源回路部２０の熱破壊を引き起こす可能性がある。
【００３９】
そこで、上述のような電流駆動回路４の誤動作を防止して各部を保護する保護回路４ｂを設けることが望ましい。図１０は保護回路４ｂを具備した電流駆動回路４を示しており、この保護回路４ｂはトランジスタＴｒ４のベース−グランド間にコンデンサＣ１と並列に接続されたスイッチング素子Ｑ２と、スイッチング素子Ｑ２のベース−グランド間に接続されたコンデンサＣ２及びベース−入力端Ｔin２間に挿入された抵抗Ｒ５からなる遅延回路と、スイッチング素子Ｑ２のベース−グランド間に接続されたスイッチング素子Ｑ３と、スイッチング素子Ｑ３のベース−グランド間に接続されるとともにベースが入力端Ｔin２に接続されたスイッチング素子Ｑ４とを具備し、抵抗Ｒ６を介してスイッチング素子Ｑ３のベース及びスイッチング素子Ｑ４のコレクタに外部電源電圧ＶＬが印加されている。
【００４０】
而して、制御部４０から制御信号が出力されずに入力端Ｔin２がＬレベルとなっている場合、出力用のトランジスタＴｒ４のベース電圧ＶｂもＬレベルとなって電流駆動回路４は停止状態（待機状態）となり、この待機状態ではスイッチング素子Ｑ４がオフとなるからスイッチング素子Ｑ３がオン、よってスイッチング素子Ｑ２がオフとなって保護回路４ｂも動作しない。一方、図１１（ａ）に示すように制御部４０から制御信号が出力されて入力端Ｔin２がＨレベルになると、抵抗Ｒ４の抵抗値とコンデンサＣ１の容量値で決まる時定数τ１でトランジスタＴｒ４のベース電圧Ｖｂを供給するコンデンサＣ１の両端電圧が上昇し、やがてトランジスタＴｒ４，Ｔｒ３がオンして電流駆動回路４が動作し、外部電源電圧ＶＬが所定値まで低下する（図１１（ｃ）参照）。また、保護回路４ｂでは、制御信号がＨレベルになるとスイッチング素子Ｑ４がオンとなってスイッチング素子Ｑ３がオフとなり、図１１（ｂ）に示すように抵抗Ｒ５の抵抗値とコンデンサＣ２の容量値で決まる時定数（保護回路４ｂの動作待機時間）τ２でスイッチング素子Ｑ２のベース電圧を供給するコンデンサＣ２の両端電圧が上昇する。ここで、上記動作待機時間τ２は抵抗Ｒ４及びコンデンサＣ１の時定数τ１よりも充分に長い値に設定してあるから、制御信号が正常に入力されている場合にはコンデンサＣ２の両端電圧がスイッチング素子Ｑ２をオンするレベルＶＱ２まで到達せず、保護回路４ｂは動作しない。
【００４１】
一方、制御部４０の誤動作により制御信号が長時間に渡って出力され、図１２（ａ）に示すように入力端Ｔin２がＨレベルとなる期間が保護回路４ｂの動作待機時間τ２を超えるとコンデンサＣ２の両端電圧がスイッチング素子Ｑ２をオンするレベルＶＱ２まで到達してスイッチング素子Ｑ２がオンとなり（図１２（ｂ）参照）、トランジスタＴｒ４のベース電圧Ｖｂを低下させてトランジスタＴｒ３，Ｔｒ４をオフすることにより電流駆動回路４を強制的に停止させる（図１２（ｃ）参照）。なお、制御信号がＬレベルに戻ればスイッチング素子Ｑ３がオンとなってコンデンサＣ２の充電電荷が放電されるために保護回路４ｂの動作がリセットされる。このように本実施形態では電流駆動回路４に保護回路４ｂを設けたことにより、電流駆動回路４の誤動作を防止して電源回路部２０の熱破壊を防ぐことができる。
【００４２】
ところで、上記保護回路４ｂでは制御信号が一旦Ｌレベルに落ちるとスイッチング素子Ｑ３，Ｑ４によりリセットされるため、図１３（ａ）に示すように制御信号にノイズが混入して瞬間的にでもＬレベルに落ちてしまうと保護動作が解除されてしまう虞がある（図１３（ｂ）参照）。
【００４３】
そこで、保護回路４ｂの動作開始の判断基準を制御信号のオン幅（オンデューティ比）で規定すれば、上述のようにノイズの混入によって保護動作が不用意に解除されることが防止できる。具体的には、図１４に示すように図１１の回路構成からリセット用のスイッチング素子Ｑ３，Ｑ４及び抵抗Ｒ６を取り除けばよい。
【００４４】
而して、電流駆動回路４の待機状態ではスイッチング素子Ｑ２がオフとなって保護回路４ｂは動作せず、図１５（ａ）に示すように制御部４０から制御信号が出力されて入力端Ｔin２がＨレベルになると時定数τ１が経過した後にトランジスタＴｒ４，Ｔｒ３がオンして電流駆動回路４が動作し、外部電源電圧ＶＬが所定値まで低下する。保護回路４ｂでは、図１５（ｂ）に示すように制御信号がＨレベルになると抵抗Ｒ５の抵抗値とコンデンサＣ２の容量値で決まる時定数τ３でスイッチング素子Ｑ２のベース電圧を供給するコンデンサＣ２の両端電圧が上昇するが、この時定数τ３が正常時の制御信号のオン幅よりも充分に長い値に設定してあるためにコンデンサＣ２の両端電圧がスイッチング素子Ｑ２をオンするレベルＶＱ２まで到達せず、保護回路４ｂは動作しない。一方、制御信号がＬレベルに戻ればコンデンサＣ２の充電電荷が時定数τ３で放電されるが、時定数τ３の値が制御信号のオフ幅よりも充分に長い値に設定してあるために保護回路４ｂの動作がリセットされることがない。そして、制御部４０の誤動作により制御信号のオン幅が時定数τ３を超えるとコンデンサＣ２の両端電圧がスイッチング素子Ｑ２をオンするレベルＶＱ２まで到達してスイッチング素子Ｑ２がオンとなり、保護回路４ｂが動作して電流駆動回路４を強制的に停止させる。ここで、制御信号にノイズが混入して瞬間的にＬレベルに落ちた場合でも、コンデンサＣ２の両端電圧は殆ど低下しないことから保護回路４ｂがリセットされることはなく、ノイズの混入によって保護動作が不用意に解除されることが防止できる。
【００４５】
また、電流駆動回路４を集積回路で構成する場合、ディスクリート部品で構成する場合と比較して温度特性等でトランジスタの電流増幅率ｈFEや抵抗値がばらつき、出力波形の立ち上がり及び立ち下がりの遅延時間が所定の範囲から外れてしまう虞がある。
【００４６】
そこで、図１６に示すように電流駆動回路４の出力の立ち上がり及び立ち上がりの各遅延時間を調整する遅延調整回路４ｃを設けることが望ましい。遅延調整回路４ｃは、エミッタがグランドに接続され、抵抗Ｒ９を介して第１の電圧源１の出力電圧Ｖ１が印加され、入力端Ｔin２に入力する制御信号でオン／オフされるスイッチング素子Ｑ５と、スイッチング素子Ｑ５がオンしたときにオンするとともにスイッチング素子Ｑ５がオフしたときにオフし、オン時に充電抵抗Ｒ７を介して第１の電圧源１の出力電圧Ｖ１でコンデンサＣ１に充電電流を流すスイッチング素子Ｑ７と、スイッチング素子Ｑ５がオンしたときにオフするとともにスイッチング素子Ｑ５がオフしたときにオンし、オン時に放電抵抗Ｒ８を介してコンデンサＣ１の充電電荷を放電するスイッチング素子Ｑ６とを具備する。
【００４７】
而して、制御部４０から制御信号が出力されて入力端Ｔin２の電圧がＨレベルに立ち上がるとスイッチング素子Ｑ５がオンし、これによりスイッチング素子Ｑ７がオン、スイッチング素子Ｑ６がオフする。スイッチング素子Ｑ７がオンすると充電抵抗Ｒ７を介して第１の電圧源１の出力電圧Ｖ１でコンデンサＣ１に充電電流が流れ、コンデンサＣ１の両端電圧が充電抵抗Ｒ７とコンデンサＣ１の時定数で決まる遅延時間で上昇するから、電流駆動回路４の出力の立ち上がりにおける遅延時間は充電抵抗Ｒ７とコンデンサＣ１の時定数により決まることになる。一方、制御部４０から制御信号が出力されなくなって入力端Ｔin２の電圧がＬレベルに立ち下がるとスイッチング素子Ｑ５がオフし、これによりスイッチング素子Ｑ７がオフ、スイッチング素子Ｑ６がオンする。スイッチング素子Ｑ６がオンすると放電抵抗Ｒ８を介してコンデンサＣ１の充電電荷が放電され、コンデンサＣ１の両端電圧が放電抵抗Ｒ８とコンデンサＣ１の時定数で決まる遅延時間で下降するから、電流駆動回路４の出力の立ち下がりにおける遅延時間は放電抵抗Ｒ８とコンデンサＣ１の時定数により決まることになる。
【００４８】
すなわち、遅延調整回路４ｃではコンデンサＣ１の充電経路と放電経路を独立させており、充電時の時定数を決定する充電抵抗Ｒ７の抵抗値と、放電時の時定数を決定する放電抵抗Ｒ８の抵抗値とが個別に設定できるため、温度特性を考慮して出力波形の立ち上がり及び立ち下がりの遅延時間が所定の範囲内に収まるように調整することが可能となり、電流駆動回路４から波形の精度が高い出力を得ることができる。
【００４９】
ところで、既に説明しているように本実施形態における電源回路部２０は複数の品種への対応を目的としてラッチ回路５を具備しているが、ラッチ回路５を動作させて比較的大きな電流（数十ｍＡ）を引くことで発報する品種では、受信機や親機などの相手機器のインピーダンスがある程度大きいことが必要である。したがって、インピーダンスの低い機器が誤って接続された場合、ノイズ等が原因でラッチ回路５が動作すると大電流（数百ｍＡ）が流れてしまい、電源回路部２０が熱破壊してしまう虞がある。
【００５０】
そこで、図１７に示すようにラッチ回路５のサイリスタＳＣＲに外部電源電圧ＶＬが印加される経路中に電力線ＬｐからサイリスタＳＣＲに過大な電流が流れるのを阻止する過電流阻止手段５ａを設けることが望ましい。
【００５１】
而して、誤って電力線Ｌｐにインピーダンスの低い機器が接続される場合においても、過電流阻止手段５ａによって電源回路部２０に過大な電流が流れることを阻止し、過大な電流による電源回路部２０の熱破壊を防止することができる。なお、過電流阻止手段５ａとして過電流によって溶断するヒューズを用いれば、非常に小さな回路規模で過電流阻止手段５ａが構成でき、電源回路部２０の小型化及びコストダウンが図れるという利点がある。
【００５２】
ところで、ラッチ回路５の入力端Ｔin３に周期的な矩形波パルスからなる制御信号が入力する場合、Ｈレベルの制御信号でトリガされてサイリスタＳＣＲがターンオンした後、制御信号がＬレベルに立ち下がったときに入力端Ｔin３とゲートの間に挿入された抵抗Ｒ５を介して電流（サイリスタＳＣＲを構成するＮＰＮトランジスタのベース電流）が流出することで保持電流が減少するためにサイリスタＳＣＲがターンオフしてしまい、ラッチ回路５の動作が解除される虞がある。これを防止するために抵抗Ｒ５の抵抗値を大きくして上記電流の流出を抑えることが考えられるが、ラッチ回路５を集積化する場合に抵抗のばらつきが大きいことや抵抗の専有面積が大きくなることが問題となり、抵抗Ｒ５の抵抗値を大きくするという上記方法の実現は困難である。
【００５３】
そこで、図１８に示すようにサイリスタＳＣＲのゲートを介した上記電流の流出を阻止する阻止手段５ｂをラッチ回路５に設けることが望ましい。例えば、入力端Ｔin３にアノードが接続され且つ抵抗Ｒ５の一端にカソードが接続されたダイオードＤ６を阻止手段５ｂとすればよい。このように阻止手段５ｂをラッチ回路５に設けたことにより、ラッチ回路５の入力端Ｔin３に周期的な矩形波パルスからなる制御信号が入力する場合でも、ゲートを介した電流の流出を阻止することで保持電流の減少を抑制し、一旦ターンオンしたサイリスタＳＣＲがターンオフしてラッチ回路５の動作が不用意に解除されることが防止できる。
【００５４】
また、ラッチ回路５が不要な品種の場合、ラッチ回路５が電力線Ｌｐに接続されていると、電力線Ｌｐに混入したノイズ等でラッチ回路５が動作したときに以下のような不具合が生じる虞がある。つまり、ラッチ回路５が動作することで外部電源電圧ＶＬが低下するために他の回路（第１及び第２の電圧源１，２など）が機能を果たせなくなったり、上述のようにインピーダンスの低い機器が誤って接続された場合には大電流（数百ｍＡ）が流れて電源回路部２０が熱破壊してしまうことがある。
【００５５】
そこで、ラッチ回路５を動作可能な状態と動作不能な状態に切り換える切換手段を設ければ、ラッチ回路５が不要な場合には切換手段でラッチ回路５を動作不能状態としてラッチ回路５の誤動作による不具合の発生を防ぐことができる。具体的には、図１９に示すように電源回路部２０内でラッチ回路５を独立させ、電力線Ｌｐにラッチ回路５を接続するためのパッドＰを切換手段として設ければよい。すなわち、ラッチ回路５が必要な品種であれば上記パッドＰと電力線Ｌｐを接続し、ラッチ回路５が不要な品種であれば何もせずにそのまま使用すればよい。また、パッドＰを設けたことでラッチ回路５を電源回路部２０以外の回路等にも接続可能となる。
【００５６】
さらに、切換手段として、図２０に示すようにパッドＰと電力線Ｌｐとの間を予めヒューズＨで接続する構成とすれば、ラッチ回路５が不要な場合にはヒューズＨを溶断するだけでラッチ回路５を電力線Ｌｐから切り離して動作不能状態に切り換えることができ、切換手段が非常に簡単な構成で実現できて電源回路部２０の小型化及びコストダウンが図れるという利点がある。
【００５７】
【発明の効果】
請求項１の発明は、監視空間に照射した光が監視空間内の煙により散乱された散乱光を受光して煙濃度に応じた感知信号を出力する煙感知部と、煙感知部から出力される感知信号に基づいた情報を外部に報知する制御部と、電力線を介して外部電源から供給される電力で動作し、煙感知部並びに制御部に動作用電源を供給する電源回路部とを備えた光電式煙感知器において、電源回路部は、煙感知部の動作用電源を作成する第１の電圧源と、制御部の動作用電源を作成する第２の電圧源と、制御部が外部に情報を報知する際に外部電源の電圧を第１の所定値まで低下させるレギュレータ回路と、制御部が外部に情報を報知する際に電力線に所定の電流を流す電流駆動回路と、制御部が外部に情報を報知する際に外部電源の電圧を第２の所定値まで低下させて保持するラッチ回路とが集積回路で構成されてなるので、レギュレータ回路と電流駆動回路とラッチ回路を電源回路部に具備することで複数の品種で電源回路部が共通に使用できるとともに、電源回路部を集積回路で構成することによってディスクリート部品で構成する場合に比較して小型化が可能となるという効果がある。
【００５８】
請求項２の発明は、請求項１の発明において、第１及び第２の電圧源の少なくとも何れか一方は、バンドギャップリファレンス回路と、バンドギャップリファレンス回路の出力で駆動されるトランジスタを有した出力回路とを具備し、出力回路のトランジスタの温度特性を打ち消す温度補償素子がバンドギャップリファレンス回路に設けられたので、バンドギャップリファレンス回路が動作して比較的大きな電流が出力回路に流れる場合でもバンドギャップリファレンス回路には出力回路のトランジスタの電流増幅率の逆数分しか影響が及ばず、しかも、温度補償素子を設けているため、第１及び第２の電圧源からは温度特性が良好且つ安定した電圧供給が行えるという効果がある。
【００５９】
請求項３の発明は、請求項１の発明において、レギュレータ回路は、シャントレギュレータからなり、シャントレギュレータの基準電圧を設定する基準電圧設定手段を有するので、基準電圧設定手段による基準電圧の設定により、レギュレータ回路の出力電圧の設定の自由度が向上するという効果がある。
【００６０】
請求項４の発明は、請求項３の発明において、基準電圧設定手段が抵抗分圧回路からなり、シャントレギュレータの非動作時に抵抗分圧回路に流れる電流を阻止する電流阻止手段をレギュレータ回路に設けたので、レギュレータ回路の非動作時の電流消費を防いで電源回路部全体の消費電力を低減することができるとともに、非動作時におけるレギュレータ回路の誤動作防止が図れるという効果がある。
【００６１】
請求項５の発明は、請求項３の発明において、基準電圧設定手段が抵抗分圧回路からなり、第１及び第２の電圧源の内で作成する動作用電源電圧が低い方の電圧源の出力をシャントレギュレータに入力するとともに基準電圧設定部から取り出した電圧を動作用電源電圧が高い方の電圧源の出力端に印加するので、レギュレータ回路の動作時に外部電源電圧が高い方の動作用電源電圧付近まで低下した場合でも基準電圧設定部から取り出した電圧で高い方の動作用電源電圧を補うことができるという効果がある。
【００６２】
請求項６の発明は、請求項１の発明において、電流駆動回路を駆動する駆動信号を所定レベルにシフトするレベルシフト回路を設けたので、駆動信号のレベルがレベルシフト回路によって常に所定レベルにシフトされ、駆動信号のレベルが異なる品種にも対応することができるという効果がある。
【００６３】
請求項７の発明は、請求項１の発明において、電流駆動回路の誤動作を防止して各部を保護する保護回路を設けたので、電流駆動回路の誤動作を防止して電源回路部の熱破壊を防ぐことができるという効果がある。
【００６４】
請求項８の発明は、請求項７の発明において、保護回路は、電流駆動回路を駆動する駆動信号のデューティが所定の限界値を超えたときに保護動作を行うので、動作中にノイズが入り込んでも保護回路の動作が解除されるのを防ぐことができるという効果がある。
【００６５】
請求項９の発明は、請求項１の発明において、電流駆動回路の出力の立ち上がり及び立ち上がりの各遅延時間を調整する遅延調整回路を設けたので、遅延調整回路で各遅延時間を調整することにより電流駆動回路から波形の精度が高い出力を得ることができるという効果がある。
【００６６】
請求項１０の発明は、請求項１の発明において、ラッチ回路は、電力線とグランドの間に挿入されるサイリスタと、電力線からサイリスタに過大な電流が流れるのを阻止する過電流阻止手段とを具備するので、電力線にインピーダンスの低い機器が接続される場合においても電源回路部に過大な電流が流れることが無く、過大な電流による電源回路部の熱破壊を防止することができるという効果がある。
【００６７】
請求項１１の発明は、請求項１０の発明において、過電流阻止手段は、過電流によって溶断するヒューズからなるので、非常に小さな回路規模で過電流阻止手段が構成でき、電源回路部の小型化及びコストダウンが図れるという効果がある。
【００６８】
請求項１２の発明は、請求項１の発明において、ラッチ回路は、電力線とグランドの間に挿入されるサイリスタと、サイリスタのゲートを介した電流の流出を阻止する阻止手段とを具備するので、ゲートを介した電流の流出を阻止することで保持電流の減少を抑制し、一旦ターンオンしたサイリスタがターンオフしてラッチ回路の動作が不用意に解除されることが防止できるという効果がある。
【００６９】
請求項１３の発明は、請求項１の発明において、ラッチ回路を動作可能な状態と動作不能な状態に切り換える切換手段を設けたので、ラッチ回路が不要な場合には切換手段でラッチ回路を動作不能状態としてラッチ回路の誤動作による不具合の発生を防ぐことができるという効果がある。
【００７０】
請求項１４の発明は、請求項１３の発明において、切換手段は、ラッチ回路と電力線の間に挿入されるヒューズからなるので、ラッチ回路が不要な場合にはヒューズを溶断するだけでラッチ回路を動作不能状態に切り換えることができ、切換手段が非常に簡単な構成で実現できて電源回路部の小型化及びコストダウンが図れるという効果がある。
【図面の簡単な説明】
【図１】本発明の実施形態を示すブロック図である。
【図２】同上における第１及び第２の電圧源の回路構成図である。
【図３】同上における第１及び第２の電圧源の回路構成図である。
【図４】同上におけるレギュレータ回路の回路構成図である。
【図５】同上におけるレギュレータ回路の回路構成図である。
【図６】同上におけるレギュレータ回路の回路構成図である。
【図７】同上におけるレギュレータ回路の回路構成図である。
【図８】同上におけるレギュレータ回路の回路構成図である。
【図９】同上における電流駆動回路の回路構成図である。
【図１０】同上における電流駆動回路の回路構成図である。
【図１１】同上の動作説明図である。
【図１２】同上の動作説明図である。
【図１３】同上の動作説明図である。
【図１４】同上における電流駆動回路の回路構成図である。
【図１５】同上の動作説明図である。
【図１６】同上における電流駆動回路の回路構成図である。
【図１７】同上におけるラッチ回路の回路構成図である。
【図１８】同上におけるラッチ回路の回路構成図である。
【図１９】同上における電源回路部及びラッチ回路の概略構成図である。
【図２０】同上における電源回路部及びラッチ回路の概略構成図である。
【図２１】従来例を示すブロック図である。
【図２２】同上における第１及び第２の電圧源の回路構成図である。
【図２３】同上におけるレギュレータ回路の回路構成図である。
【図２４】同上における電流駆動回路の回路構成図である。
【図２５】同上における電流駆動回路の回路構成図である。
【符号の説明】
１  第１の電圧源
２  第２の電圧源
３  レギュレータ回路
４  電流駆動回路
５  ラッチ回路
２０  電源回路部
３０  煙感知部
４０  制御部
【図１】
0003903741.tif 000002
【図２】
0003903741.tif 000003
【図３】
0003903741.tif 000004
【図４】
0003903741.tif 000005
【図５】
0003903741.tif 000006
【図６】
0003903741.tif 000007
【図７】
0003903741.tif 000008
【図８】
0003903741.tif 000009
【図９】
0003903741.tif 000010
【図１０】
0003903741.tif 000011
【図１１】
0003903741.tif 000012
【図１２】
0003903741.tif 000013
【図１３】
0003903741.tif 000014
【図１４】
0003903741.tif 000015
【図１５】
0003903741.tif 000016
【図１６】
0003903741.tif 000017
【図１７】
0003903741.tif 000018
【図１８】
0003903741.tif 000019
【図１９】
0003903741.tif 000020
【図２０】
0003903741.tif 000021
【図２１】
0003903741.tif 000022
【図２２】
0003903741.tif 000023
【図２３】
0003903741.tif 000024
【図２４】
0003903741.tif 000025
【図２５】
0003903741.tif 000026